(57)【要約】【課題】フェライトコアの振動を効果的に抑制する。【解決手段】調理器（炊飯器１０）は、鍋収容部１８の外側に配置され、鍋収容部１８との間にコイル２２を保持するとともに、フェライトコア２４を収容して保持するフェライト収容部２７を有するフェライトホルダ２５を備える。フェライト収容部２７は、フェライトコア２４の両側に位置する一対の側板２９と、一対の側板２９を連結する連結部３０と、側板２９の長手方向の一端側に設けられた挿入口２１と、フェライトコア２４を連結部３０に向けて弾性的に付勢する弾性片３４ｂと、弾性片３４ｂの弾性的な変形を規制する規制部３５ｂとを備える。【選択図】図５
2019200917.tif 000002
【特許請求の範囲】
【請求項１】
有底筒状の鍋収容部と、
前記鍋収容部の外側に配置され、前記鍋収容部との間にコイルを保持するとともに、柱状のフェライトコアを収容して保持するフェライト収容部を有するフェライトホルダと
を備え、
前記フェライト収容部は、
前記フェライトコアを挿入する挿入口と、
前記鍋収容部側に設けられ、前記フェライトコアを弾性的に付勢する弾性片と
を備え、
前記弾性片は、前記鍋収容部又は前記コイルへの当接によって前記弾性片の弾性的な変形を規制する規制部を有する、調理器。
【請求項２】
前記挿入口は、前記フェライト収容部の長手方向の一端側に設けられており、
前記弾性片は、前記挿入口が形成された前記一端側と前記挿入口とは反対の他端側からそれぞれ対向するように延びる第１弾性片と第２弾性片とを含み、
前記規制部は、前記第１弾性片と前記第２弾性片の対向部に設けられ、前記コイルに向けて突出している、請求項１に記載の調理器。
【請求項３】
前記第２弾性片に設けられた前記規制部は、前記挿入口に近づく向きに傾斜している、請求項２に記載の調理器。
【請求項４】
前記挿入口には、挿入した前記フェライトコアの抜けを阻止するストッパが設けられている、請求項１から３のいずれか１項に記載の調理器。
【請求項５】
前記フェライトコアの外面から内面までの厚みは定められた許容誤差を有し、
前記鍋収容部又は前記コイルの外面と前記規制部との隙間は、前記許容誤差内の最小寸法の前記フェライトコアが前記挿入口から前記フェライト収容部内に挿入され、前記フェライトコアによって前記弾性片が最も変形した状態でゼロである、請求項１から４のいずれか１項に記載の調理器。
【請求項６】
前記フェライトホルダの外側に配置され、前記鍋収容部の軸線が延びる方向から見て前記コイルを覆う形状の反射板を備え、
前記フェライト収容部は、前記コイルの中央を中心として放射状に突出するように複数設けられており、
隣接した複数の前記フェライト収容部間のうちの少なくとも１つには、前記反射板の外形に対応する輪郭を有する支持板が設けられている、請求項１から５のいずれか１項に記載の調理器。
【請求項７】
前記フェライトホルダは、
前記鍋収容部に固定する第１ネジ止め部と、
前記反射板と一緒に前記鍋収容部に固定する第２ネジ止め部と、
前記反射板を固定する第３ネジ止め部と
を備える、請求項６に記載の調理器。
【発明の詳細な説明】
【技術分野】
【０００１】
本発明は、調理器に関する。
【背景技術】
【０００２】
鍋収容部の外側に、鍋を誘導加熱するコイルと、フェライトコアを収容したフェライトホルダとを配置した調理器が知られている。特許文献１に記載されたフェライトホルダは、一対の側板を有する溝状のフェライト収容部を備える。このフェライト収容部は、コイルと近接したフェライト収容部の内側に設けられた支受部と、コイルから離れたフェライト収容部の外側に設けられたバネ部とを備え、これらの間にフェライトコアを弾性的に保持している。
【先行技術文献】
【特許文献】
【０００３】
【特許文献１】特開２００５−２７９６５号公報
【発明の概要】
【発明が解決しようとする課題】
【０００４】
この種の調理器では、コイルへの通電によって高周波磁界が発生すると、フェライトコアが微細に振動して異音を発することがある。しかし、特許文献１の調理器では、このフェライトコアの防振対策が不十分である。
【０００５】
本発明は、フェライトコアの振動を効果的に抑制できる調理器を提供することを課題とする。
【課題を解決するための手段】
【０００６】
本発明の一態様は、有底筒状の鍋収容部と、前記鍋収容部の外側に配置され、前記鍋収容部との間にコイルを保持するとともに、柱状のフェライトコアを収容して保持するフェライト収容部を有するフェライトホルダとを備え、前記フェライト収容部は、前記フェライトコアを挿入する挿入口と、前記鍋収容部側に設けられ、前記フェライトコアを弾性的に付勢する弾性片とを備え、前記弾性片は、前記鍋収容部又は前記コイルへの当接によって前記弾性片の弾性的な変形を規制する規制部を有する、調理器を提供する。
【０００７】
この調理器によれば、鍋収容部又はコイルに規制部が当接することで、弾性片の弾性的な変形を規制できる。これにより、弾性片によって、フェライト収容部内でのフェライトコアの移動を効果的に抑制できる。よって、コイルへの通電による高周波磁界の発生により、フェライトコアが振動することを効果的に抑制できる。その結果、フェライトコアからの意図しない異音の発生を確実に防止できる。
【０００８】
前記挿入口は、前記フェライト収容部の長手方向の一端側に設けられており、前記弾性片は、前記挿入口が形成された前記一端側と前記挿入口とは反対の他端側からそれぞれ対向するように延びる第１弾性片と第２弾性片とを含み、前記規制部は、前記第１弾性片と前記第２弾性片の対向部に設けられ、前記コイルに向けて突出している。この態様によれば、フェライトコアの振動を抑制しつつ、フェライト収容部内にフェライトコアを安定状態で収容できる。
【０００９】
前記第２弾性片に設けられた前記規制部は、前記挿入口に近づく向きに傾斜している。この態様によれば、側板の一端の挿入口からフェライト収容部内にフェライトコアを配置する際、フェライトコアが規制部に衝突すると、規制部の傾斜によって弾性片が弾性的に変形する。よって、フェライト収容部にフェライトコアを配置する作業性を向上できる。また、弾性片の変形によって規制部がコイルに当接した場合、弾性片に対する規制部の傾斜角度が広がる向きに、弾性片と規制部のうちの少なくとも一方が変形するため、規制部によるコイルの損傷を抑制できる。
【００１０】
前記挿入口には、挿入した前記フェライトコアの抜けを阻止するストッパが設けられている。この態様によれば、フェライト収容部からのフェライトコアの抜けを効果的に防止できる。よって、フェライトコアとフェライトホルダを予め組み付けたアッセンブリとして取り扱うことができる。その結果、調理器の組立性を向上できる。
【００１１】
前記フェライトコアの外面から内面までの厚みは定められた許容誤差を有し、前記鍋収容部又は前記コイルの外面と前記規制部との隙間は、前記許容誤差内の最小寸法の前記フェライトコアが前記挿入口から前記フェライト収容部内に挿入され、前記フェライトコアによって前記弾性片が最も変形した状態でゼロである。ここで、隙間がゼロとは、規制部がコイル２２の外面に当接した状態を意味し、コイルを配置していない場合、コイルの外面が位置する仮想面を越えて規制部の先端がフェライト収容部側に位置する状態が含まれる。この態様によれば、フェライトコアの組付性を確保しつつ、フェライトコアの振動を効果的に抑制できる。
【００１２】
前記フェライトホルダの外側に配置され、前記鍋収容部の軸線が延びる方向から見て前記コイルを覆う形状の反射板を備え、前記フェライト収容部は、前記コイルの中央を中心として放射状に突出するように複数設けられており、隣接した複数の前記フェライト収容部間のうちの少なくとも１つには、前記反射板の外形に対応する輪郭を有する支持板が設けられている。この態様によれば、支持板に反射板が当接するため、コイルへの通電による高周波磁界の発生により、反射板が振動することを効果的に抑制できる。その結果、反射板からの意図しない異音の発生を確実に防止できる。また、作業者の手及びコイルのリード線が反射板の縁に当たることを抑制できる。よって、作業者の怪我及びリード線の損傷を効果的に防止できる。
【００１３】
前記フェライトホルダは、前記鍋収容部に固定する第１ネジ止め部と、前記反射板と一緒に前記鍋収容部に固定する第２ネジ止め部と、前記反射板を固定する第３ネジ止め部とを備える。この態様によれば、鍋収容部に配置したコイルの外側にフェライトホルダを配置し、第１ネジ止め部をネジ止めすることで、鍋収容部の外側にコイルとフェライトホルダを固定できる。この反射板が配置されていない状態で、コイルのリード線を配索することにより、反射板による作業者の怪我とリード線の損傷を効果的に防止できる。その後、フェライトホルダの外側に反射板を配置し、第２ネジ止め部をネジ止めすることで、鍋収容部にフェライトホルダと反射板を固定できる。最後に、第３ネジ止め部をネジ止めすることで、フェライトホルダと反射板を固定できる。
【発明の効果】
【００１４】
本発明の調理器では、鍋収容部又はコイルへの規制部の当接によって、弾性片の弾性的な変形を規制できるため、フェライト収容部内でのフェライトコアの移動を効果的に抑制できる。よって、コイルへの通電による高周波磁界の発生によって、フェライトコアが振動することを効果的に抑制でき、意図しない異音の発生を防止できる。
【図面の簡単な説明】
【００１５】
【図１】本発明の実施形態に係る炊飯器の断面図。
【図２】蓋体を開いた炊飯器の斜視図。
【図３】炊飯器の下部を分解した斜視図。
【図４】本体外装体、一部の反射板、及び一部のフェライトホルダを取り外した炊飯器の底面図。
【図５】保護枠、コイル、フェライトホルダ及び反射板の断面図。
【図６】保護枠、コイル、フェライトホルダ及び反射板の分解斜視図。
【図７】フェライトホルダと反射板の分解斜視図。
【図８】図７とは異なる角度のフェライトホルダと反射板の分解斜視図。
【図９】フェライトホルダとフェライトコアの関係を示す断面図。
【図１０】フェライトホルダと反射板の変形例を示す斜視図。
【発明を実施するための形態】
【００１６】
以下、本発明の実施の形態を図面に従って説明する。
【００１７】
図１及び図２は、本発明の実施形態に係る調理器の一例である炊飯器１０を示す。この炊飯器１０は、炊飯鍋１２が着脱可能に配置される炊飯器本体１４と、炊飯器本体１４に開閉可能に取り付けられた蓋体５５とを備える。
【００１８】
図１及び図２に示すように、炊飯鍋１２は、円板状の底部１２ａと、円筒状の外周部１２ｂと、これらを連続させる湾曲部１２ｃとを備える有底筒状である。炊飯鍋１２は磁性材料からなり、底部１２ａ、外周部１２ｂ及び湾曲部１２ｃをプレス加工又は鋳造によって形成した一体構造である。
【００１９】
炊飯器本体１４は、上端を開口した本体外装体１５と、本体外装体１５の開口を塞ぐ肩体１６とを備える。肩体１６の背部には、蓋体５５を回転可能に取り付けるヒンジ接続部１７が設けられている。炊飯器本体１４は、炊飯鍋１２を着脱可能に収容する鍋収容部１８を備える。鍋収容部１８は、円筒状に形成された金属製の内胴１９と、受皿状に形成された樹脂（非導電性材料）製の保護枠２０とを備える有底筒状であり、肩体１６の開口の下部に配置されている。
【００２０】
保護枠２０の外側には、炊飯鍋１２を誘導加熱するコイル２２が配置されている。図３及び図４を参照すると、コイル２２は、本実施形態では保護枠２０の周方向に間隔をあけて３個配置されている。個々のコイル２２の外側には、フェライトホルダ２５が配置され、このフェライトホルダ２５と保護枠２０の間にコイル２２が保持されている。個々のフェライトホルダ２５の外側には、高周波磁界が炊飯器本体１４の外部へ漏れることを防ぐ反射板４５が配置されている。なお、図４は、３個のコイル２２のうち、１個にフェライトホルダ２５と反射板４５を配置し、他の１個にフェライトホルダ２５だけを配置し、残りの１個にフェライトホルダ２５も反射板４５も配置していない状態を示している。
【００２１】
図１及び図２に示すように、蓋体５５は、肩体１６の上面を覆う平面視形状の蓋本体５６と、蓋本体５６の上部を覆う蓋外装体５７とを備える。蓋本体５６はヒンジ接続部１７に回転可能に取り付けられている。炊飯鍋１２を臨む蓋本体５６の内部側には、炊飯鍋１２の上端開口を閉塞する内蓋５８が設けられている。蓋体５５に対して内蓋５８は、着脱可能に配置してもよいし、取外不可能に配置してもよい。
【００２２】
図３を参照すると、蓋体５５には、複数の操作ボタン６０と液晶パネル（表示部）６１を有する操作パネル部５９が設けられている。複数の操作ボタン６０には、炊飯処理を開始させる炊飯ボタン、保温処理を開始させる保温ボタン、及び炊飯処理と保温処理を終了させるとりけしボタンが含まれている。液晶パネル６１は、制御部の指令によって、炊飯メニューの選択状態、及び現状の動作状態を表示する。
【００２３】
図３及び図４を参照すると、本体外装体１５と鍋収容部１８の間に位置するように、炊飯器本体１４内には制御基板５２が配置されている。制御基板５２には、コイル２２を含む電気部品を制御する制御部（図示せず）が設けられている。制御部は、単一又は複数のマイクロコンピュータ、及びその他の電子デバイスにより構成されている。制御部は、図示しない温度センサの検出結果に基づいてコイル２２への通電を制御し、炊飯処理と保温処理を実行する。
【００２４】
コイル２２への通電時、コイル２２から発生した高周波磁界によって、反射板４５とフェライトホルダ２５内のフェライトコア２４とが微細に振動して異音を発することがある。この課題を解消するために、本実施形態では、フェライトホルダ２５に、フェライトコア２４と反射板４５の振動を抑制する構造を設けている。以下、コイル２２、フェライトホルダ２５及び反射板４５について、より詳細に説明する。
【００２５】
（フェライトホルダのコイル保持構造）
図４から図６に示すように、コイル２２は、複数の巻線を楕円環状に巻回した形状であり、高周波電流が通電されることで渦電流を発生させ、炊飯鍋１２を誘導加熱する。図４に最も明瞭に示すように、保護枠２０の軸線Ａが延びる方向から見て、コイル２２は、保護枠２０の軸線Ａを中心として、周方向に間隔をあけて配置されている。図１及び図５を参照すると、個々のコイル２２は、炊飯鍋１２の湾曲部１２ｃを中心とし、底部１２ａから外周部１２ｂにかけて延在するように、保護枠２０の外側に配置されている。なお、保護枠２０の底壁部２０ｂは炊飯鍋１２の底部１２ａと、保護枠２０の湾曲壁部２０ｃは炊飯鍋１２の湾曲部１２ｃと、保護枠２０の側壁部２０ｄは炊飯鍋１２の外周部１２ｂと、それぞれ対応している。
【００２６】
個々のコイル２２は、一対のリード線２２ａを備える。図４において下側に位置する１個のコイル２２のリード線２２ａは、制御基板５２に接続されている。図４において上側に位置する２個のコイル２２のリード線２２ａは、保護枠２０のホルダ部２０ａ内に配置された中継基板５３にそれぞれ接続されている。制御部によって３個のコイル２２は、いずれか１個が通電され、残りの２個への通電が遮断される。また、３個のコイル２２は、定められた時間毎に、定められた順番で通電状態が切り換えられる。
【００２７】
この種の炊飯器１０を含む電気機器において、単位時間当たりに投入可能な定格電力は、通常、日本の家庭に設けられた配電盤が２０アンペアでコンセントが１５アンペアのものが多いため、最大で１５００Ｗである。底壁部２０ｂ全体を覆う１個のコイルを用いた炊飯器の場合、定格電力に応じた加熱量で炊飯鍋１２の底部１２ａ全体が誘導加熱される。これに対して本実施形態の炊飯器１０では、３個のコイル２２のうちの１個に定格電力が投入されるため、対応する炊飯鍋１２の１／３の領域が、定格電力に応じた加熱量で集中して誘導加熱される。よって、本実施形態の炊飯器１０は、１個のコイルを用いた炊飯器と比較して、炊飯鍋１２の単位面積当たりの最大加熱量を大きくできる。
【００２８】
図４から図６に示すように、フェライトホルダ２５は、コイル２２毎に設けられ、コイル２２に対して保護枠２０とは反対側に配置されている。フェライトホルダ２５は、コイル２２からの磁束を収束させるフェライトコア２４を収容して保持する複数のフェライト収容部２７を備える。本実施形態では、平面視で概ね＋字形状をなすように、４本のフェライト収容部（以下「収容部」と略す。）２７がコイル２２の中央を中心として放射状に突設されている。なお、以下の説明では、必要に応じて第１収容部２７Ａから第４収容部２７Ｄとして区別していうことがある。
【００２９】
第１収容部２７Ａは、保護枠２０の軸線Ａ近傍から底壁部２０ｂに沿って径方向に延在している。図４を参照すると、保護枠２０の径方向外側に位置する第１収容部２７Ａの外端は、フェライトホルダ２５の基部（中心部）２６を構成する。この基部２６は、保護枠２０の湾曲壁部２０ｃかつコイル２２の中心の概ね直下に位置する。保護枠２０の径方向内側に位置する第１収容部２７Ａの先端（内端）２８は、コイル２２の短径方向の頂部に位置している。
【００３０】
第２収容部２７Ｂは、基部２６から保護枠２０の側壁部２０ｄに沿って延在している。第２収容部２７Ｂは、保護枠２０の軸線Ａに沿って上側に向かうに従って、保護枠２０の径方向外側へ次第に広がるように傾斜している。図４及び図５を参照すると、基部２６から離れて位置する第２収容部２７Ｂの先端（上端）２８は、コイル２２の短径方向において、第１収容部２７Ａの先端２８とは反対側のコイル２２の頂部に位置している。
【００３１】
第３収容部２７Ｃと第４収容部２７Ｄは、基部２６から第１収容部２７Ａに対して交差する向きに突出している。第３収容部２７Ｃと第４収容部２７Ｄは、湾曲壁部２０ｃに沿って保護枠２０の周方向に延在している。基部２６から離れて位置する第３収容部２７Ｃの先端２８は、コイル２２の長径方向の一方の頂部に位置し、基部２６から離れて位置する第４収容部２７Ｄの先端２８は、コイル２２の長径方向の他方の頂部に位置している。
【００３２】
このように、第１収容部２７Ａと第２収容部２７Ｂによってコイル２２の短径方向を位置決めし、第３収容部２７Ｃと第４収容部２７Ｄによってコイル２２の長径方向を位置決めしている。
【００３３】
（フェライトホルダのフェライトコア取付構造）
図５に示すように、収容部２７は、フェライトコア２４とコイル２２の接触を避けるために、コイル２２に対して定められた間隔をあけて位置している。図７及び図８に示すように、個々の収容部２７は、直方体状のフェライトコア２４を収容するスロット形状であり、一対の側板２９、外側連結部（連結部）３０、及び内側連結部３１ａをそれぞれ備える。また、第２収容部２７Ｂを除く収容部２７Ａ，２７Ｃ，２７Ｄは、弾性片３４ａ，３４ｂ、及び規制部３５ａ，３５ｂを備える。第２収容部２７Ｂは、弾性片３４ａ，３４ｂとは異なる弾性片３７を備える。
【００３４】
一対の側板２９は、保護枠２０の外壁、つまり底壁部２０ｂ、湾曲壁部２０ｃ及び側壁部２０ｄに沿って延びる内縁２９ａと、内縁２９ａよりも外側に位置する外縁２９ｂとを有し、保護枠２０に対して直交する方向に配置されている。一対の側板２９は対向しており、一方でフェライトコア２４の一方の側面２４ａを覆い、他方でフェライトコア２４の他方の側面２４ａを覆っている。第１収容部２７Ａと第２収容部２７Ｂの側板２９は、連続した１枚の平板によって構成されている。第３収容部２７Ｃの一対の側板２９は、第１収容部２７Ａの一対の側板２９のうちの一方からそれぞれ突出している。第４収容部２７Ｄの一対の側板２９は、第１収容部２７Ａの一対の側板２９のうちの他方からそれぞれ突出している。
【００３５】
図７に最も明瞭に示すように、外側連結部３０は、側板２９の外縁２９ｂ側に設けられ、一対の側板２９を連結している。第１収容部２７Ａから第３収容部２７Ｃの外側連結部３０は、側板２９の長手方向の中央に設けられている。第４収容部２７Ｄの外側連結部３０は、側板２９の長手方向の先端２８に設けられている。外側連結部３０は、側板２９の外縁２９ｂに沿って延在し、収容部２７内に突出する板状の当接片３０ａを備える。また、第４収容部２７Ｄの長手方向の中央には、当接片３０ａとは別に、側板２９の外縁２９ｂに沿って延在し、収容部２７内に突出する板状の当接片３０ｂが更に設けられている。一対の当接片３０ａ間の隙間及び一対の当接片３０ｂ間の隙間は、一対の側面２４ａ間の寸法であるフェライトコア２４の幅よりも小さい。図５を参照すると、当接片３０ａ，３０ｂの長手方向の端には、内部（保護枠２０）に向けて突出する断面半円形状の突出部３０ｃが設けられている。
【００３６】
図８に最も明瞭に示すように、内側連結部３１ａは、側板２９の内縁２９ａ側に設けられ、一対の側板２９を連結している。内側連結部３１ａは、収容部２７の先端２８に設けられている。また、第１収容部２７Ａと第２収容部２７Ｂの基部２６側には、一対の側板２９を連結する第２の内側連結部３１ｂが更に設けられている。なお、第３収容部２７Ｃと第４収容部２７Ｄの基部２６側は、第１収容部２７Ａの側板２９によって連結されている。
【００３７】
一対の側板２９、外側連結部３０、及び内側連結部３１ａによって筒状の収容部２７が画定されている。個々の収容部２７の先端（一端）２８は、フェライトコア２４を挿入する挿入口３２である。図５に示すように、挿入する向きのフェライトコア２４の端を位置決めするために、第１収容部２７Ａの基部２６側には端板３３ａが設けられ、第２収容部２７Ｂの基部２６側には端板３３ｂが設けられている。端板３３ａは、第１収容部２７Ａの内側連結部３１ｂと一対の側板２９とに連続している。端板３３ｂは、端板３３ａと第２収容部２７Ｂの一対の側板２９とに連続している。なお、第３収容部２７Ｃと第４収容部２７Ｄでは、フェライトコア２４の端の位置決めは、第１収容部２７Ａの側板２９によって行われる。
【００３８】
図５及び図８に示すように、弾性片３４ａ，３４ｂは、第１収容部２７Ａ、第３収容部２７Ｃ及び第４収容部２７Ｄに収容されたフェライトコア２４を、外側連結部３０に向けて弾性的に付勢する。弾性片３４ａ，３４ｂは、収容部２７Ａ，２７Ｃ，２７Ｄ（側板２９）の長手方向に隣接し、それぞれ対向するように延びている。第１弾性片３４ａは挿入口３２から基部２６に向けて突出し、第２弾性片３４ｂは基部２６から挿入口３２に向けて突出している。第１弾性片３４ａは内側連結部３１ａに一体に設けられている。第１収容部２７Ａの第２弾性片３４ｂは、内側連結部３１ｂに一体に設けられ、第３収容部２７Ｃと第４収容部２７Ｄの第２弾性片３４ｂは、第１収容部２７Ａの側板２９に一体に設けられている。
【００３９】
規制部３５ａ，３５ｂは、コイル２２への当接によって、コイル２２に向けた弾性片３４ａ，３４ｂの弾性的な変形を規制する。なお、コイル２２の代わりに規制部３５ａ，３５ｂを保護枠２０に当接させてもよい。規制部３５ａ，３５ｂは、弾性片３４ａ，３４ｂに一体に設けられ、保護枠２０に向けて突出している。規制部３５ａ，３５ｂは、収容部２７Ａ，２７Ｃ，２７Ｄの中央部分に位置するように、一対の弾性片３４ａ，３４ｂの対向部、つまり個々の弾性片３４ａ，３４ｂの先端に設けられている。
【００４０】
第１弾性片３４ａの第１規制部３５ａは、第２弾性片３４ｂ（基部２６）に近づく向きに傾斜している。第２弾性片３４ｂの第２規制部３５ｂは、第１弾性片３４ａ（挿入口３２）に近づく向きに傾斜している。つまり、弾性片３４ａ，３４ｂに対する規制部３５ａ，３５ｂの傾斜角度α，βは鈍角である。図５に最も明瞭に示すように、第２弾性片３４ｂに対する第２規制部３５ｂの傾斜角度βは、第１弾性片３４ａに対する第１規制部３５ａの傾斜角度αよりも大きい。また、弾性片３４ａ，３４ｂと規制部３５ａ，３５ｂの間には、誤差の無い定められた厚みのフェライトコア２４が配置された場合に面接触する面取り部３６ａ，３６ｂがそれぞれ設けられている。
【００４１】
図５及び図８に示すように、第２収容部２７Ｂの弾性片３７は、第２収容部２７Ｂに収容されたフェライトコア２４を外側連結部３０に向けて弾性的に付勢する。弾性片３７は、第２収容部２７Ｂの長手方向に延在するように設けられている。弾性片３７の一端は先端２８側の内側連結部３１ａに連続し、弾性片３７の他端は基部２６側の内側連結部３１ｂに連続している。弾性片３７の中間部分には、外側連結部３０に向けて傾斜した傾斜部３７ａが設けられている。
【００４２】
図５及び図７に示すように、収容部２７Ａ，２７Ｃ，２７Ｄの挿入口３２には、内部に配置されたフェライトコア２４の抜けを阻止するストッパ３８が設けられている。第１収容部２７Ａのストッパ３８は、内側連結部３１ａと一対の側板２９とに連続している。第３収容部２７Ｃと第４収容部２７Ｄのストッパ３８は、内側連結部３１ａと一対の側板２９のうちの一方とに連続している。個々のストッパ３８は、内側連結部３１ａから外向きに突出している。ストッパ３８の突出寸法は、内縁２９ａから外縁２９ｂまでの側板２９の幅の概ね半分である。
【００４３】
第２収容部２７Ｂに収容されるフェライトコア２４のストッパは、フェライトホルダ２５には設けられていない。図５及び図６に示すように、第２収容部２７Ｂのフェライトコア２４のストッパ２０ｅは、保護枠２０から突出した平面視Ｔ字形状の突出部によって構成されている。保護枠２０の径方向におけるストッパ２０ｅの外側には、第２収容部２７Ｂの外側を支持する支持部２０ｆが設けられている。
【００４４】
図９は、収容部２７Ａ，２７Ｃ，２７Ｄの弾性片３４ａ，３４ｂ及び第２規制部３５ｂと、フェライトコア２４との関係を示す断面図である。フェライトコア２４の幅と厚みＴは、仕様として予め定められている。フェライトコア２４の幅とは、一対の側面２４ａ間の寸法である。フェライトコア２４の厚みＴとは、外面２４ｂから内面２４ｃまで寸法である。厚みＴには許容誤差（公差）ΔＴが含まれている。例えば許容誤差ΔＴは定められた寸法の±０．３ｍｍである。
【００４５】
図９に破線で示すように、フェライトコア２４を配置していない収容部２７Ａ，２７Ｃ，２７Ｄにおいて、弾性片３４ａ，３４ｂと突出部３０ｃ（当接片３０ａ）の間の隙間Ｓ１は、最小寸法のフェライトコア２４の厚みＴｍｉｎよりも小さい。第２収容部２７Ｂの弾性片３７（傾斜部３７ａ）と当接片３０ａ，３０ｂの隙間も、弾性片３４ａ，３４ｂと同様に設定されている。
【００４６】
ストッパ３８を設けた収容部２７Ａ，２７Ｃ，２７Ｄでは、図９のように挿入口３２からフェライトコア２４を斜めに挿入する必要がある。つまり、収容部２７Ａ，２７Ｃ，２７Ｄでは、先端２８側に位置する当接片３０ａの端、ストッパ３８の先端、及び一対の側板２９の外縁２９ｂによって囲まれた開口部分が、挿入口３２を構成する。
【００４７】
図９に破線で示すように、フェライトコア２４を配置していない収容部２７Ａ，２７Ｃ，２７Ｄで、第２弾性片３４ｂの第２規制部３５ｂとコイル２２の外面２２ｂの間の隙間Ｓ２は、次のように設定されている。図９に実線で示すように、厚みＴｍｉｎのフェライトコア２４を挿入口３２から挿入し、フェライトコア２４の当接によって弾性片３４ｂが最も変形した状態で、隙間Ｓ２がゼロになるように設定されている。隙間Ｓ２がゼロとは、第２規制部３５ｂがコイル２２の外面２２ｂに当接した状態を意味し、コイル２２を配置していない場合、外面２２ｂが位置する仮想面を越えて第２規制部３５ｂの先端が保護枠２０側に位置する状態が含まれる。
【００４８】
この炊飯器１０では、コイル２２に規制部３５ａ，３５ｂが当接することで、弾性片３４ａ，３４ｂの弾性的な変形を規制できる。これにより、弾性片３４ａ，３４ｂによって、収容部２７内でのフェライトコア２４の移動を抑制できる。よって、コイル２２への通電による高周波磁界の発生により、フェライトコア２４が振動することを効果的に抑制できる。その結果、フェライトコア２４からの意図しない異音の発生を確実に防止できる。
【００４９】
弾性片３４ａ，３４ｂは収容部２７の長手方向に隣接して一対設けられ、これらの対向部に規制部３５ａ，３５ｂが設けられている。そのため、一対の弾性片３４ａ，３４ｂによって、フェライトコア２４の振動を抑制しつつ、収容部２７内にフェライトコア２４を安定状態で収容できる。
【００５０】
第２弾性片３４ｂに設けられた第２規制部３５ｂは、挿入口３２に近づく向きに傾斜している。よって、挿入口３２から収容部２７内にフェライトコア２４を配置する際、フェライトコア２４が第２規制部３５ｂに衝突すると、第２規制部３５ｂの傾斜によって第２弾性片３４ｂが弾性的に変形する。その結果、収容部２７にフェライトコア２４を配置する作業性を向上できる。また、第２弾性片３４ｂの変形によって第２規制部３５ｂがコイル２２に当接した場合、第２弾性片３４ｂに対する第２規制部３５ｂの傾斜角度βが広がる向きに、第２弾性片３４ｂと第２規制部３５ｂのうちの少なくとも一方が変形する。よって、第２規制部３５ｂによるコイル２２の損傷を抑制できる。
【００５１】
挿入口３２にはストッパ３８が設けられているため、収容部２７からのフェライトコア２４の抜けを効果的に防止できる。よって、フェライトコア２４とフェライトホルダ２５を予め組み付けたアッセンブリとして取り扱うことができる。その結果、炊飯器１０の組立性を向上できる。
【００５２】
厚みＴｍｉｎのフェライトコア２４を挿入口３２から収容部２７内に挿入した状態で、第２規制部３５ｂがコイル２２の外面２２ｂに当接し、隙間Ｓ２がゼロになるように設定されている。よって、フェライトコア２４の組付性を確保しつつ、フェライトコア２４の振動と抜けを効果的に抑制できる。
【００５３】
（フェライトホルダの反射板支持構造）
図７及び図８に示すように、フェライトホルダ２５の外側には反射板４５が配置されている。反射板４５は、底板部４６、側板部４７、及び段部４８を備える。フェライトホルダ２５は、第１収容部２７Ａ、第３収容部２７Ｃ及び第４収容部２７Ｄによって底板部４６を支持し、第２収容部２７Ｂによって側板部４７を支持する。面積が広い底板部４６の振動を抑制するために、本実施形態のフェライトホルダ２５には支持板３９が設けられている。
【００５４】
具体的には、反射板４５は、１枚の金属板をプレス加工して形成した一体構造である。例えば反射板４５の材質は、炊飯鍋１２よりも電気抵抗値が低い銅またはアルミニウムである。図４を併せて参照すると、反射板４５は、保護枠２０の軸線Ａが延びる方向から見て、コイル２２を覆う概ね楕円形状である。
【００５５】
底板部４６は、フェライトホルダ２５の第１収容部２７Ａ、第３収容部２７Ｃ、及び第４収容部２７Ｄの外側に重ねて配置されている。底板部４６の外周部４６ａは、コイル２２の長径方向の両端間の曲率と概ね同じ曲率の半楕円形状である。
【００５６】
側板部４７は、段部４８を介して底板部４６に連続している。側板部４７は、全体として底板部４６に対して屈曲し、フェライトホルダ２５の第２収容部２７Ｂの外側に重ねて配置されている。側板部４７の外周部４７ａは、コイル２２の長径方向の両端間の曲率と概ね同じ曲率の半楕円形状である。側板部４７の外周部４７ａの一部には、組立状態で他の部品の干渉を避けるために円弧状に切り欠き４７ｂが設けられている。
【００５７】
段部４８は、組立状態で他の部品の干渉を避けるための窪みである。段部４８は、底板部４６に連続する第１部分４８ａと、側板部４７に連続する第２部分４８ｂとを備える。第１部分４８ａは、底板部４６に対して屈曲し、フェライトホルダ２５の第３収容部２７Ｃと第４収容部２７Ｄの外側に配置される。第２部分４８ｂは、側板部４７と第１部分４８ａに対して屈曲し、第３収容部２７Ｃと第４収容部２７Ｄから第２収容部２７Ｂの外側まで延びている。
【００５８】
反射板４５には、４個の貫通孔４９ａ〜４９ｄが形成されている。第１貫通孔４９ａは、底板部４６に設けられている。第２貫通孔４９ｂは、側板部４７から段部４８にかけて設けられている。第３貫通孔４９ｃと第４貫通孔４９ｄは、第２貫通孔４９ｂの両側の第２部分４８ｂから底板部４６にかけて設けられている。これらの貫通孔４９ａ〜４９ｄは、送風ファン５４（図４参照）の風を通し、コイル２２を冷却するために設けられている。また、第２貫通孔４９ｂは、第２収容部２７Ｂの一部と後述するネジ止め部４０〜４２を突出させる機能を兼ね備える。
【００５９】
引き続いて図７及び図８に示すように、フェライトホルダ２５は、第１収容部２７Ａと第３収容部２７Ｃの間、及び第１収容部２７Ａと第４収容部２７Ｄの間に、底板部４６に当接する支持板３９を備える。支持板３９は、反射板４５の底板部４６の外周部４６ａの形状に対応する輪郭（外周部３９ａ）を有する。具体的には、図４に示すように、保護枠２０の軸線Ａが延びる方向から見て、支持板３９の外周部３９ａの曲率は、反射板４５の外周部４６ａの曲率と同じである。
【００６０】
支持板３９の外周部３９ａは半円形状に面取りされており、この半円部分が底板部４６の外周部４６ａから突出している。支持板３９の外面は、収容部２７Ａ，２７Ｃ，２７Ｄの側板２９の外縁２９ｂに対して面一な平坦面であり、この外面に反射板４５の底板部４６が面接触する。
【００６１】
このように、フェライトホルダ２５は、反射板４５の底板部４６に当接する支持板３９を備えるため、コイル２２への通電による高周波磁界の発生により、反射板４５（底板部４６）が振動することを効果的に抑制できる。その結果、底板部４６からの意図しない異音の発生を確実に防止できる。
【００６２】
また、図４に示すように、コイル２２のリード線２２ａは、隣接したコイル２２間の狭い隙間を通して配索される。この際、薄い反射板４５の外周部４６ａに作業者の手が当たると、作業者が怪我する可能性がある。また、外周部４６ａにリード線２２ａが当たると、リード線２２ａが損傷する。しかし、本実施形態では、外周部４６ａの形状に対応する外周部３９ａを有する支持板３９が設けられているため、これらの問題を効果的に防止できる。
【００６３】
（フェライトホルダの固定構造）
図６から図８に示すように、フェライトホルダ２５は、固定用のネジ止め部４０〜４２を備える。第１ネジ止め部４０は、フェライトホルダ２５だけを保護枠２０に固定するために設けられている。第２ネジ止め部４１は、反射板４５と一緒にフェライトホルダ２５を保護枠２０に固定するために設けられている。第３ネジ止め部４２は、フェライトホルダ２５に反射板４５を固定するために設けられている。
【００６４】
第１ネジ止め部４０は、第１収容部２７Ａと第３収容部２７Ｃが交差した部分に設けられている。第１ネジ止め部４０は、ネジ（図示せず）の頭部を収容可能な凹部と、ネジを貫通させる貫通孔とを備える。保護枠２０には、第１ネジ止め部４０の直上に位置する部分に、ネジを締め付けるボス２０ｇが設けられている。
【００６５】
第２ネジ止め部４１は、第１収容部２７Ａと第４収容部２７Ｄが交差した部分に設けられている。第２ネジ止め部４１はネジ（図示せず）を貫通させる貫通孔を備える。保護枠２０には、第２ネジ止め部４１の直上に位置する部分に、ネジを締め付けるボス２０ｈが設けられている。反射板４５は、底板部４６から側板部４７に向けて突出する突片５０を備え、この突片５０の第２ネジ止め部４１の直下に位置する部分に、ネジを貫通させるネジ孔５０ａが設けられている。
【００６６】
第３ネジ止め部４２は、第１ネジ止め部４０に隣接するように第３収容部２７Ｃの側板２９に設けられている。第３ネジ止め部４２はネジ（図示せず）を締め付けるボスによって構成されている。反射板４５の突片５０には、第３ネジ止め部４２の直下に位置する部分に、ネジを貫通させるネジ孔５０ｂが設けられている。
【００６７】
なお、図４及び図６を参照すると、保護枠２０にはコイル２２の内周の長径方向の頂部を位置決めする一対の位置決め突部２０ｉが設けられている。また、図７及び図８を参照すると、反射板４５の突片５０には、第１ネジ止め部４０と第２ネジ止め部４１の外側に係止する係止片５０ｃが設けられている。
【００６８】
次に、コイル２２、フェライトホルダ２５及び反射板４５を保護枠２０に取り付ける作業を説明する。
【００６９】
コイル２２の内周部にボス２０ｇ，２０ｈが位置するように、３個のコイル２２を保護枠２０の外側に配置する。そして、位置決め突部２０ｉによってコイル２２を所定の向きに位置決めする。
【００７０】
続いて、コイル２２の外側にフェライトコア２４を収容させたフェライトホルダ２５を配置し、ボス２０ｇに第１ネジ止め部４０をネジ止めする。これにより、保護枠２０の外側にフェライトホルダ２５を仮固定し、コイル２２を所定位置に保持できる。この反射板４５が配置されていない状態で、コイル２２のリード線２２ａを所定位置に配索する。
【００７１】
続いて、フェライトホルダ２５の外側に反射板４５を配置し、保護枠２０のボス２０ｈに、フェライトホルダ２５の第２ネジ止め部４１と、反射板４５の突片５０（ネジ孔５０ａ）とを、一緒にネジ止めする。これにより、保護枠２０に対して、フェライトホルダ２５を完全に固定するとともに、反射板４５を仮固定する。
【００７２】
最後に、フェライトホルダ２５の第３ネジ止め部４２に、反射板４５の突片５０（ネジ孔５０ｂ）をネジ止めする。これにより、保護枠２０及びフェライトホルダ２５に対して、反射板４５を完全に固定する。
【００７３】
このように、フェライトホルダ２５は３種のネジ止め部４０〜４２を備え、コイル２２のリード線２２ａの配索は、保護枠２０に反射板４５が配置されていない状態で行うことができる。よって、反射板４５による作業者の怪我とリード線２２ａの損傷を効果的に防止できる。
【００７４】
（フェライトホルダのヒューズ取付構造）
図８に示すように、フェライトホルダ２５は、温度ヒューズ４４を配置する配置部４３を備える。配置部４３は、第３収容部２７Ｃと第４収容部２７Ｄにおいて、第１収容部２７Ａが突出する向きに隣接して設けられている。２つの配置部４３のうちの一方だけに温度ヒューズ４４が配置される。全てのフェライトホルダ２５に配置された温度ヒューズ４４は、直列に接続され、制御基板５２に電気的に接続されている。温度ヒューズ４４は対応するコイル２２が過度に発熱すると溶断し、全てのコイル２２への通電を遮断する。
【００７５】
配置部４３は、収容部２７Ｃ，２７Ｄの側板２９と間隔をあけて設けられた側板４３ａと、挿入口３２の方に設けられた端板４３ｂとを備える。側板４３ａは側板２９に対して平行に延びており、その全長は側板２９よりも短い。端板４３ｂは、温度ヒューズ４４の脱落を防ぐために設けられており、図示しないリード線を挿通する溝４３ｃを備える。端板４３ｂとは反対側に位置する温度ヒューズ４４の端は、第１収容部２７Ａの側板２９によって脱落が阻止されている。側板２９，４３ａには、温度ヒューズ４４の外周を圧接するリブ４３ｄが形成されている。配置部４３の底には、放熱用の貫通孔４３ｅが設けられている。
【００７６】
このように、フェライトホルダ２５に温度ヒューズ４４を配置しているため、コイル２２の過度の発熱を確実に検出でき、樹脂製の保護枠２０の溶損を効果的に防止できる。また、温度ヒューズ４４を取り付けるために別部品を新たに設ける必要がないため、部品点数を削減できる。
【００７７】
なお、本発明の炊飯器（調理器）１０は、前記実施形態の構成に限定されず、種々の変更が可能である。
【００７８】
フェライトホルダ２５と反射板４５には、反射板４５の振動を抑制する固定部を設けてもよい。例えば図１０に示すように、フェライトホルダ２５の支持板３９に、球状の抜止部を有する固定突部３９ｂを設けるとともに、反射板４５の底板部４６に、弾性的に変形可能な固定片を有する固定孔４６ｂを設け、これらによって底板部４６を支持板３９に固定してもよい。このようにすれば、反射板４５の底板部４６の振動をより効果的に防止できる。
【００７９】
フェライトコア２４は、角柱状に限らず、円柱状としてもよいし、全体として曲がった形状としてもよい。
【００８０】
コイル２２は、２個配置してもよいし、４個以上配置してもよい。また、保護枠２０の軸線Ａと中心として１個だけ配置してもよい。いずれの場合でも、フェライトホルダ２５は、コイル２２の中央を中心として放射状に突出するように、複数の収容部２７を設ければよい。また、複数の収容部２７は、一体構造に限られず、個別に設けてもよい。
【００８１】
フェライトホルダ２５の支持板３９は、第２収容部２７Ｂと第３収容部２７Ｃの間、及び第２収容部２７Ｂと第４収容部２７Ｄの間にも設けてもよい。
【００８２】
前記実施形態では炊飯器１０を例に挙げて説明したが、本発明は、有底筒状の鍋収容部と、鍋収容部の外側に配置されたコイルと、コイルの外側に配置されたフェライトホルダとを備え、フェライトホルダに柱状のフェライトコアを収容させる調理器であればいずれでも適用可能であり、同様の作用および効果を得ることができる。
【符号の説明】
【００８３】
１０…炊飯器（調理器）
１２…炊飯鍋
１２ａ…底部
１２ｂ…外周部
１２ｃ…湾曲部
１４…炊飯器本体
１５…本体外装体
１６…肩体
１７…ヒンジ接続部
１８…鍋収容部
１９…内胴
２０…保護枠
２０ａ…ホルダ部
２０ｂ…底壁部
２０ｃ…湾曲壁部
２０ｄ…側壁部
２０ｅ…ストッパ
２０ｆ…支持部
２０ｇ…ボス
２０ｈ…ボス
２０ｉ…位置決め突部
２２…コイル
２２ａ…リード線
２２ｂ…外面
２４…フェライトコア
２４ａ…側面
２４ｂ…外面
２４ｃ…内面
２５…フェライトホルダ
２６…基部
２７，２７Ａ〜２７Ｄ…フェライト収容部
２８…先端
２９…側板
２９ａ…内縁
２９ｂ…外縁
３０…外側連結部（連結部）
３０ａ…当接片
３０ｂ…当接片
３０ｃ…突出部
３１ａ，３１ｂ…内側連結部
３２…挿入口
３３ａ，３３ｂ…端板
３４ａ…第１弾性片
３４ｂ…第２弾性片
３５ａ…第１規制部
３５ｂ…第２規制部
３６ａ，３６ｂ…面取り部
３７…弾性片
３７ａ…傾斜部
３８…ストッパ
３９…支持板
３９ａ…外周部
３９ｂ…固定突部
４０…第１ネジ止め部
４１…第２ネジ止め部
４２…第３ネジ止め部
４３…配置部
４３ａ…側板
４３ｂ…端板
４３ｃ…溝
４３ｄ…リブ
４３ｅ…貫通孔
４４…温度ヒューズ
４５…反射板
４６…底板部
４６ａ…外周部
４６ｂ…固定孔
４７…側板部
４７ａ…外周部
４７ｂ…切り欠き
４８…段部
４８ａ…第１部分
４８ｂ…第２部分
４９ａ〜４９ｄ…貫通孔
５０…突片
５０ａ…ネジ孔
５０ｂ…ネジ孔
５０ｃ…係止片
５２…制御基板
５４…送風ファン
５５…蓋体
５６…蓋本体
５７…蓋外装体
５８…内蓋
５９…操作パネル部
６０…操作ボタン
６１…液晶パネル
Ｓ１…弾性片と当接片の隙間
Ｓ２…規制部とコイルの隙間
Ｔ…フェライトコアの厚み
【図１】
2019200917.tif 000003
【図２】
2019200917.tif 000004
【図３】
2019200917.tif 000005
【図４】
2019200917.tif 000006
【図５】
2019200917.tif 000007
【図６】
2019200917.tif 000008
【図７】
2019200917.tif 000009
【図８】
2019200917.tif 000010
【図９】
2019200917.tif 000011
【図１０】
2019200917.tif 000012